(57)【要約】【課題】  携帯電話で録音した鳥の声によりその鳥を特定し、その鳥の解説をする仕組みを提供する。【解決手段】（イ）携帯電話端末にユーザーが知りたい鳥の実際の鳴き声を録音し、これをデジタル化したデータをデジタル音声記憶部に鳥の声紋として一時記憶する。（ロ）本システムには、予め多数の鳥に関する情報（文字、画像、音声）がデジタル化され声紋をキーとしてデータベースに格納されており、このデータベースに鳥の声紋と地域情報および時季情報を与えると、照合し合致した情報（鳥の名前、鳥に関する情報、画像・音声データ等）がデータベースより取り出され検索結果データ記憶部へ一時記憶される。（ハ）一時記憶されたデータは、制御部のコントロールのもとで端末の表示装置に文字や写真の形で表示されると共にスピーカに音として出力される。【選択図】図２
2007140426.tif 000002
【特許請求の範囲】
【請求項１】
携帯電話で録音した鳥の鳴き声を分析して、声の主である鳥を特定し、その鳥についての解説をその携帯電話の持ち主にフィードバックする携帯電話を利用した「鳴き声による鳥の検索システム」。
【発明の詳細な説明】
【技術分野】
【０００１】  本発明は、その鳴き声によって鳥を特定し、その鳥の解説をする仕組みで、携帯電話を利用した「鳴き声による鳥の検索システム」に関するものである。
【背景技術】
【０００２】  従来、鳥類を検索する場合は、その外観から、書籍としての図鑑等により検索するか、もしくは外観または鳴き声からＤＶＤ等に記録された画像や音声により検索する方法などがある。
【特許文献１】特開２００５−０７８０４５
【特許文献２】特開２００５−０７８０３９
【特許文献３】特開２００４−１９４２７９
【特許文献４】特開２００３−２５５９８４
【特許文献５】特開２００２−３０４１９１
【特許文献６】特開平０９−１７９５７９
【発明の開示】
【発明が解決しようとする課題】
【０００３】  従来の方法では、そのための特別な図鑑やＤＶＤ等の媒体あるいは特別な機器を購入する等の準備が必要であり、また、いずれの場合も、検索のための手間と時間を要するため、鳥の声を聞いているその場で検索結果を知ることは難しかった。
本発明は、これらの問題点を解決しようとするものである。
【課題を解決するための手段】
【０００４】（イ）携帯電話端末（以下単に端末という）に携帯電話の持ち主（以下ユーザーという。）が知りたい鳥の実際の鳴き声を録音し、これを声紋分離フィルタ、Ａ／Ｄ変換器を通してデジタル化し、そのデータをデジタル音声記憶部に鳥の声紋として一時記憶する。
声紋分離フィルタは鳥の鳴き声が分布する周波数帯域のその音声を抽出する役目を果たし、Ａ／Ｄ変換器はその音声をデジタル化する役目を果たす。
一時記憶された鳥の声紋は、地域・時季情報と共に端末のデータベース制御部、もしくは携帯電話ネットワーク網を経由して基地局のデータベース制御部に送られる。
（ロ）本システムには、予め多数の鳥に関する情報（文字、画像、音声）がデジタル化され声紋をキーとしてデータベースに格納されており、データベース制御部を介してこのデータベースに鳥の声紋と発信地情報部から得られる地域情報および年間時計部から得られる時季情報を与えると、データベース制御部により照合し合致した情報（鳥の名前、鳥に関する情報、画像・音声データ等）がデータベースより取り出され検索結果データ記憶部へ一時記憶される。
（ハ）一時記憶されたデータは、端末の制御部のコントロールのもとで端末の表示装置に文字や写真の形で表示されると共にスピーカに音として出力される。
データベースが基地局にある場合には、端末は基地局から送信された検索データを受信し端末の制御部のコントロールのもとで同様な処理を行う。
【発明の効果】
【０００５】  山野に限らず、知らない鳥の声を耳にして、一瞬「なんと言う鳥だろう？」と思っても、それを確かめる手段がないため、そのままにするケースが多い。
また、姿が確認できず鳴き声だけが聞こえる場合が多いことも事実である。
この発明により、特別な機器がなくても、多くの人が既に身につけている携帯電話を利用して、近くで鳴いている鳥の名前や姿・習性等が手軽に分かる、つまりリアルタイムで検索ができるようになる。
また、このシステムの普及によって、より多くの人が自然への関心を深め、それが自然環境の保護・保全につながることも期待できる。
【発明を実施するための最良の形態】
【０００６】  以下、本発明の実施の形態について説明する。
（イ）端末で、ユーザーがその端末のキー操作部の特定キーを押下することにより、ユーザーの知りたい鳥の実際の鳴き声を端末側のマイクを通してある一定時間、もしくは一、二鳴きを声紋分離フィルタ、Ａ／Ｄ変換器を通してデジタル化し、そのデータをデジタル音声記憶部に鳥の声紋として一時記憶する。
声紋分離フィルタは鳥の鳴き声が分布する周波数帯域のその音声を抽出する役目を果たし、Ａ／Ｄ変換器はその音声をデジタル化する役目を果たす。
この際、デジタル音声記憶部は、鳥の鳴き声の１フレーズ（一鳴き）を切り出し、この記憶部には、知りたい鳥の声紋が記憶されていることになる。
これら一連の制御は端末に設けられた制御部が行う。
（ロ）本システムには、予め多数の鳥に関する情報（文字、画像、音声）がデジタル化され声紋をキーとしてデータベースに格納されており、このデータベースに鳥の声紋と地域、時季の情報を与えると与えられた声紋に合致した鳥に関する情報があるか否か照合する。
照合し合致した場合、その合致した情報に関する情報（鳥の名前、鳥に関する情報、画像・音声データ等）がデータベースより取り出され検索結果データ記憶部へ一時記憶される。
合致しない場合は、地域・時季情報と最も声紋の近い鳥に関する情報から鳥の名前を類推し、その類推した鳥に関する情報が取り出され記憶される。
（ハ）本提示システムは２通りの利用方法がある。
その１つは端末側に予め基地局にある鳥の声紋データベースをダウンロードして利用する方法であり、これをダウンロードモードと呼ぶことにする。
いま１つの方法は、端末にデータベースを持たない方法である。
これを通常モードということにする。
【実施例１】  ダウンロードモード
（ニ）このモードで利用する方法は、上記（イ）に記憶されデジタル化された鳥の声紋と、発信地情報部から得られる地域情報、また年間時計部から得られる時季情報等のいずれも予めデジタル化されたユーザサポート情報を端末内のデータベース制御部へ送る。
データベース制御部は受け取った情報（鳥の声紋やユーザサポートのデータ等）を検索データ記憶部へ送る。
鳥の声紋データベースは上記（ロ）と同様に受け取った情報を基に合致するか、もしくは一番近い鳥の情報を検索し、そのデータを検索結果データ記憶部へ送る。
送られたデータは制御部のコントロールのもとで検索されたデータを表示装置に文字や写真の形で表示すると共にスピーカに音として出力する。
（ホ）データベースをダウンロードする方法は、ユーザーが特定のキーの組合せで端末キーを押下すると制御部はデジタル化されたダウンロードのコマンドを生成し、変調器、増幅器、送信機を経由し、携帯電話ネットワーク網へ出力する。
基地局はこの情報を受信機で受信し、復調器で復調した後データベース制御部へ送る。
データベース制御部は送られてきた情報がダウンロードコマンドか検索情報かを識別し、前記コマンドであった場合はデータベースにある鳥の声紋データベースのデータをある一定の長さに区切って、検索結果データ記憶部を介し変調器で変調し、増幅器で増幅した後、送信機で送り出す。
送り出された情報は携帯電話ネットワーク網を介して端末で受信され、復調器で復調され鳥の声紋データベースに格納される。
この一連の流れは、基地局にあるデータベースの量と端末の受信能力に合わせた時間間隔で行われる．
【実施例２】  通常モード
（ヘ）もう一つの方法は、端末にデータベースを持たずに、都度上記（イ）に記憶されたデジタル化された鳥の声紋を基地局に送り、その声紋に合致するかあるいは最も近い鳥に関する情報を基地局から受け、端末側で表示、また音声出力する方法である。
端末よりの送信、また基地局の受信、データの送り出し、またその後の端末受信から表示、音声出力の方法は前記（ニ）と同様である。
【図面の簡単な説明】
【０００７】
【図１】本発明の概念図
【図２】本発明の構造図
【符号の説明】
１  鳥の声紋等のデータベース
２  ユーザー
３  鳥の声
４  録音した鳥の声
５  鳥の解説
【図１】
2007140426.tif 000003
【図２】
2007140426.tif 000004